【手続補正書】
【提出日】平成17年3月22日(2005.3.22)
【手続補正１】
【補正対象書類名】明細書
【補正対象項目名】特許請求の範囲
【補正方法】変更
【補正の内容】
【特許請求の範囲】
【請求項１】
透過モードと反射モードの二つの表示モード機能を有する多数の画素電極と、前記画素電極との間に電界を印加する対向電極と、前記画素電極と前記対向電極の間に挟持された液晶層とを有する液晶表示パネルと、
前記対向電極に前記透過モードと前記反射モードのそれぞれの表示モードに対する最適な電圧を印加するための対向電圧生成回路とを具備したことを特徴とする液晶表示装置。
【請求項２】
前記液晶表示パネルの背面に配置された照明装置を有し、
前記対向電圧生成回路は、前記照明装置の点灯時と消灯時とで異なる電圧を前記対向電極に印加することを特徴とする請求項１に記載の液晶表示装置。
【請求項３】
透過モードと反射モードの二つの表示モード機能を有する多数の画素電極と、前記画素電極との間に電界を印加する対向電極と、前記電界が印加される液晶層とを有する液晶表示パネルと、
前記対向電極に前記透過モードと前記反射モードのそれぞれの表示モードに対して異なる電圧を印加する対向電圧生成回路とを具備したことを特徴とする液晶表示装置。
【請求項４】
前記液晶表示パネルの背面に配置された照明装置を有し、
前記対向電圧生成回路は、前記照明装置の点灯時には前記透過モード用の電圧を、消灯時には前記反射モード用の電圧を、前記対向電極に印加することを特徴とする請求項３に記載の液晶表示装置。
【請求項５】
第１基板の主面と第２基板の主面の間に挟持された液晶層と、前記第１基板の主面の第１の方向に延在し第２の方向に並設された多数の走査信号線および前記第２の方向に延在し前記第１の方向に並設されて前記走査信号線に交差して配置された多数の映像信号線と、前記走査信号線と前記映像信号線の交差部に配置して画素の点灯と消灯を制御するアクティブ素子と、前記アクティブ素子で駆動されて透過モードと反射モードの二つの表示モード機能を有する画素電極と、前記第１基板または前記第２基板の主面に形成して前記画素電極との間に電界を生成する対向電極とを有する液晶表示パネルと、
前記走査信号線に走査信号を印加する走査信号線駆動回路と、
前記映像信号線に映像信号を印加する映像信号線駆動回路と、
前記走査信号線駆動回路と前記映像信号線駆動回路および前記対向電極に必要な電圧を供給する電源回路とを備え、
前記電源回路は、前記対向電極に、前記透過モードに対して第１の対向電圧を、前記反射モードに対して前記第１の対向電圧と異なる第２の対向電圧を印加する対向電圧生成回路を有することを特徴とする液晶表示装置。
【請求項６】
前記液晶表示パネルの背面に配置された照明装置を有し、
前記対向電圧生成回路は、前記照明装置の点灯時には前記第１の対向電圧を、消灯時には前記第２の対向電圧を、前記対向電極に印加することを特徴とする請求項５に記載の液晶表示装置。
【請求項７】
前記液晶表示パネルの背面に配置された照明装置を有し、
前記映像信号線駆動回路に前記照明装置の点灯と消灯を識別して前記対向電圧生成回路に対向電圧選択信号を与える対向電圧選択回路を備え、
前記対向電圧生成回路は、前記対向電圧選択信号により前記照明装置の点灯時には前記第１の対向電圧を、消灯時には前記第２の対向電圧を、前記対向電極に印加することを特徴とする請求項５に記載の液晶表示装置。
【請求項８】
前記液晶表示パネルの周辺に前記走査信号線駆動回路と前記映像信号線駆動回路に外部信号源からの表示用信号および電圧を入力するための端子群を有し、
前記端子群に一端を接続して他端を前記外部信号源に接続するフレキシブルプリント基板を備え、
前記電源回路を前記フレキシブルプリント基板に搭載したことを特徴とする請求項７に記載の液晶表示装置。
【請求項９】
多数の第１画素電極と、前記第１画素電極との間に電界を印加する第１対向電極と、前記第１画素電極と前記第１対向電極の間に挟持された第１液晶層とを有して透過モードで映像を表示する第１の液晶表示パネルと、
多数の第２画素電極と、前記第２画素電極との間に電界を印加する第２対向電極と、前記第２画素電極と前記第２対向電極の間に挟持された第２液晶層とを有して反射モードで映像を表示する第２の液晶表示パネルと、
前記第１の液晶表示パネルの前記第１対向電極に透過モードの表示に最適な第１対向電圧を印加する第１対向電圧生成回路と、前記第２の液晶表示パネルの前記第２対向電極に反射モードの表示に最適な第２対向電圧を印加する第２対向電圧生成回路を具備したことを特徴とする液晶表示装置。
【請求項１０】
第１基板の主面と第２基板の主面の間に挟持された第１液晶層と、前記第１基板の主面の第１の方向に延在し第２の方向に並設された多数の第１走査信号線および前記第２の方向に延在し前記第１の方向に並設されて前記第１走査信号線に交差して配置された多数の第１映像信号線と、前記第１走査信号線と前記第１映像信号線の交差部に配置して画素の点灯と消灯を制御する第１アクティブ素子と、前記第１アクティブ素子で駆動されて透過モードの表示を行う第１画素電極と、前記第１基板または第２基板の主面に形成して前記第１画素電極との間に電界を生成する第１対向電極とを有する第１の液晶表示パネルと、
第３基板の主面と第４基板の主面の間に挟持された第２液晶層と、前記第３基板の主面の第１の方向に延在し第２の方向に並設された多数の第２走査信号線および前記第２の方向に延在し前記第１の方向に並設されて前記第２走査信号線に交差して配置された多数の第２映像信号線と、前記第２走査信号線と前記第２映像信号線の交差部に配置して画素の点灯と消灯を制御する第２アクティブ素子と、前記第２アクティブ素子で駆動されて反射モードの表示を行う第２画素電極と、前記第３基板または第４基板の主面に形成して前記第２画素電極との間に電界を生成する第２対向電極とを有する第２の液晶表示パネルとを有し、
前記第１の液晶表示パネルに有する前記第１走査信号線と前記第２の液晶表示パネルに有する前記第２走査信号線とに走査信号を印加する走査信号線駆動回路と、
前記第１の液晶表示パネルに有する前記第１映像信号線に第１映像信号を印加すると共に前記第２の液晶表示パネルに有する前記第２映像信号線に第２映像信号を印加する映像信号線駆動回路と、
前記走査信号線駆動回路と前記映像信号線駆動回路に必要な電圧を供給するとともに前記第１の液晶表示パネルに有する前記第１対向電極に透過モードに最適な第１の対向電圧と前記第２の液晶表示パネルに有する前記第２対向電極に反射モードに最適な第２の対向電圧を供給する電源回路とを有することを特徴とする液晶表示装置。
【請求項１１】
前記電源回路に前記透過モードと前記反射モードのそれぞれの表示モードに対する最適な第１の対向電圧と第２の対向電圧を生成する対向電圧生成回路を具備したことを特徴とする請求項１０に記載の液晶表示装置。
【請求項１２】
前記第１の液晶表示パネルの背面に照明装置を有し、
前記映像信号線駆動回路に前記照明装置の点灯と消灯を識別して前記対向電圧生成回路に対向電圧選択信号を与える対向電圧選択回路を備え、
前記対向電圧生成回路は、前記対向電圧選択信号により前記照明装置の点灯時には前記第１の対向電圧を前記第１対向電極に印加し、消灯時には前記第２の対向電圧を前記第２対向電極に印加することを特徴とする請求項１１に記載の液晶表示装置。
【請求項１３】
前記第１の液晶表示パネルの周辺に前記走査信号線駆動回路と前記映像信号線駆動回路に外部信号源からの表示用信号および電圧を入力するための端子群を有し、
前記端子群に一端を接続して他端を前記外部信号源に接続するフレキシブルプリント基板を備え、
前記電源回路を前記フレキシブルプリント基板に搭載したことを特徴とする請求項１２に記載の液晶表示装置。